(57)【要約】本発明は、構造物（２，３）またはこれに類するものを機械的に結合するための結合エレメント（１）であって、結合エレメントが、係合可能な２つの継手半部（４，５）から成っており、これらの継手半部（４，５）が、ねじ（６）またはこれに類するものによって、結合しようとする構造物（２，３）に取付可能になっている形式のものに関する。このような結合エレメント（１）を簡単に組付可能でかつ極めて頑丈に構成するために、本発明では、継手半部（４，５）が、それぞれ１つの管片（７，８）を備えており、これらの管片（７，８）が、それぞれ異なる横断面を有していて、かつ互いに嵌合可能になっており、管片（７，８）が、構造物（２，３）の接触面（１６）に対して斜めに配置されている。
2005534836.tif 000002
【特許請求の範囲】
【請求項１】
構造物（２，３）またはこれに類するものを機械的に結合するための結合エレメント（１）であって、当該結合エレメント（１）が、係合可能な２つの継手半部（４，５）から成っており、これらの継手半部（４，５）が、ねじ（６）またはこれに類するものによって、結合しようとする構造物（２，３）に取付可能になっている形式のものにおいて、
継手半部（４，５）が、それぞれ１つの管片（７，８）を備えており、これらの管片（７，８）が、それぞれ異なる横断面を有していて、かつ互いに嵌合可能になっており、管片（７，８）が、構造物（２，３）の接触面（１６）に対して斜めに配置されていることを特徴とする、結合エレメント。
【請求項２】
比較的小さな横断面を有する管片（７）が、導入キャップ（１５）を備えている、請求項１記載の結合エレメント。
【請求項３】
継手半部（４，５）が、管片（７，８）を支持する楔形の台部（９，１０）を備えている、請求項１記載の結合エレメント。
【請求項４】
ねじ（６）のねじ頭（１２）が、管片（７，８）の、構造物（２，３）に向いた側の内面（１３，１４）に沈み込むように接触している、請求項１記載の結合エレメント。
【請求項５】
管片（７，８）が、鋼製の角管として形成されている、請求項１記載の結合エレメント。
【請求項６】
当該結合エレメントが、管片（７，８）の間に配置された、管片（７，８）の長手方向に対して横向きのスライド手段（１９）を有する調整エレメント（１７）を備えている、請求項１記載の結合エレメント。
【請求項７】
調整エレメント（１７）が、キャップ状に曲げられた金属薄板ストリップ（１８）を備えており、スライド手段（１９）が、ねじ山（２０）と工具係合手段（２１）とを備えた、金属薄板ストリップに支承された少なくとも２つのピンとして形成されており、スライド手段（１９）のねじ山（２０）が、内側の管片（７ａ）のねじ山付孔（２３）に係合するようになっている、請求項６記載の結合エレメント。
【請求項８】
少なくとも１つの管片（７，８）が、被せ嵌め可能な力方向調節部材（２６）を備えている、請求項１記載の結合エレメント。
【請求項９】
力方向調節部材（２６）が、Ｕ字形に曲げられた金属薄板部分として形成されている、請求項８記載の結合エレメント。
【発明の詳細な説明】
【技術分野】
【０００１】
本発明は、請求項１の上位概念に記載の形式の、構造物またはこれに類するものを機械的に結合するための結合エレメントに関する。
【０００２】
このような形式の結合エレメントは、たとえばドイツ連邦共和国特許出願公開第１００２６７６９号明細書から公知である。この場合予備組付の範囲内で、結合しようとする２つの構造物またはこれに類するものに、ねじを用いてそれぞれ１つの継手半部が取り付けられる。構造物を結合するために継手半部が係合される。このために継手半部は楔形または円錐形の係合エレメントを有するセンタリング装置を備えている。さらに継手半部の内側で、水、ガス、電気などのためのライン結合エレメントが配置されているので、機械的な結合に際して同時に媒体結合が形成される。たとえば完成した建築物における壁のような極めて重い構造物では、結合エレメントは極めて高い負荷を吸収する必要がある。ボトムプレートが扁平でないことに基づいて、隣接する２つの壁の組込状態で壁全体が支持されるようになる恐れがある。重力の他に、完成建築物壁の組付の際に極めて大きな慣性力ならびに衝撃が生じる。一般的に組付のための必要時間は重要な要素である。プラスチックまたはアルミニウムの経済的な形状付与しか許容しない公知の結合エレメントは、構造が複雑なので、機械的な負荷容量に関するこのような要求は満たされない。
【０００３】
したがって本発明の課題は、特にドイツ連邦共和国特許出願公開第１００２６７６９号明細書から公知の結合エレメントと組み合わせて、結合しようとする構造物の迅速な組付を許容する極めて頑丈な結合エレメントを提供することである。
【０００４】
この課題は、請求項１の特徴部に記載した構成手段を有する装置によって解決される。継手半部が管片を備えており、管片は、それぞれ異なる横断面を有していることに基づいて互いに嵌合可能である。この場合たとえば鋼製の規格化された角管を使用することができる。本発明で意味するところの「管片」の概念は、横断面で長手方向案内に適してた全ての部材、たとえば管片と平鋼、Ｉ、Ｃ、Ｔ字形プロフィールとの組み合わせも含んでおり、この場合管片は、もちろんプロフィールレールに応じた長手スリットを有するものであってよく、または構造縮小して単数または複数のアイ（環体）であってよい。さらにアンダカットに基づいて長手方向案内に適した溝／キー−横断面が含まれる。転動システムまたは潤滑システムによってこれらのガイド特性を助成することができる。
【０００５】
管片は構造物の接触面に対して斜めに配置されている。したがって管片の相互的な導入に際して、構造物の、接触面に対する垂直方向および水平方向の組み合わせ運動が得られる。導入距離は継手半部によって制限されるものではなく、構造物が接触面に接触すると終了する。不動の構造物に、斜め上に向いた管片を備えた継手半部が取り付けられ、これに対して接合しようとする別の構造物が下向きの管片を備えるように、継手半部は構造物に配置されている。したがって構造物を接合する際に、接合しようとする構造物の重力を利用することができる。管片の傾斜配置によって、構造物は強制案内され、最終的に接触面で満足できる程度に互いに接合する。したがって接触面に対して垂直または水平の接合方向を有する結合エレメントに対して有利な点によれば、構造物は接合のあとで追加的に特別に緊締する必要がない。本発明の結合エレメントとドイツ連邦共和国特許出願公開第１００２６７６９号明細書から公知の結合エレメントとを組み合わせて使用するとさらに有利であり、本発明の結合エレメントは、接合中および接合後に重力および接合力を吸収し、これに対してドイツ連邦共和国特許出願公開第１００２６７６９号明細書の結合エレメントは負荷軽減され、ひいては比較的小さな強さに設計することができる。本発明の結合エレメントの強制案内によって、ドイツ連邦共和国特許出願公開第１００２６７６９号明細書の結合エレメントも互いに接近運動され、センタリング装置に、比較的小さな力に関して場合によっては比較的小さな補償運動がもたらされる。
【０００６】
有利な実施例では、比較的小さな横断面を有する管片は導入キャップを備えている。これによって生じる導入傾斜部によって、継手半部は、大まかな位置決め精度でも極めて簡単に接合することができる。このことはたとえば完成建築物における壁を結合する際に重要である。なぜならばここでは場合によっては極めて大きな壁エレメントをクレーンに懸架して案内する必要がある、という理由による。
【０００７】
構造物に管片を斜めに取り付けるために、有利な実施形態では、継手半部は、管片を支持するたとえばプラスチックから成る楔形の台部を備えている。構造物に対する継手半部の取付はねじを介して行われる。管片からねじを介して各構造物に向かう直接的な力伝達を達成するために、ねじ頭は、管片の、構造物に向いた内面に接触して、ねじは台部を通って構造物まで到達する。
【０００８】
結合エレメントの接合方向に対して横向きに両構造物の結合を調整するために、たとえば製作に起因する不精度を補償するために、本発明の実施形では、管片の間に、管片の長手方向に対して横向きのスライド手段を有する調整エレメントが設けられている。これによって外側の管片に対する内側の管片の位置は、構造物の接合に際して依然として調整することができる。有利には調整エレメントはキャップ状に曲げられた金属薄板ストリップを備えており、金属薄板ストリップは、調整機能の他に前述の導入キャップとしてのある種の接合機能を有している。スライド手段として、ねじ山の設けられた２つのピンが提供されており、ピンはたとえば滑り支承部によって金属薄板ストリップに支承されていて、かつねじ山で内側の管片のねじ山付孔に係合する。外側に配置された工具係合手段、たとえば六角によって、ピンは回動可能である。ピンの回動によって、調整エレメントは管片に対してスライドする。
【０００９】
継手半部の間にできるだけ小さな力伝達ならびに小さなモーメント作用を生じさせるために、本発明の有利な実施形態では、被せ嵌め可能な力方向調節部材が設けられている。力方向調節部材は外側の管片に配置されており、それも力方向調節装置の領域で接触する内側の管片が、力を、外側の管片が最大限吸収できる位置に、たとえば内側の管片に向いた側の端部に伝達するように配置されている。有利には力方向調節部材は簡単な構成のＵ字形に曲げられた金属薄板部材である。
【００１０】
次に図面につき本発明の実施例を詳しく説明する。
【００１１】
図１に示した結合エレメント１は、両方の構造物２，３、たとえば完成した建築物において結合しようとする２つの壁を結合するのに役立つ。結合エレメント１は両継手半部４，５から成っており、継手半部４，５はねじ６によって各構造物２，３に取り付けられている。両継手半部４，５はそれぞれ１つの管片７，８を備えており、管片７，８は硬質プラスチックから成る楔形の台部９，１０によって支持される。管片７，８は、それぞれ異なる横断面を有していて互いに嵌合可能な、鋼製の規格化された角管である。
【００１２】
両構造物２，３を結合するために、継手半部４，５は、先ずねじ６によって予備取付の範囲内で構造物２，３に取り付けられる。このためにねじ６は切欠１１を通って差し込まれ、ねじ込みむ際に最終的にねじ頭１２で内面１３，１４に接触するようになる。構造物２，３を実際に接合するために、比較的大きな横断面を有する管片８を備えた継手半部５は、比較的小さな横断面７を有する管片７を備えた継手半部４に沿ってスライドされる。この際に導入キャップ１５は接合傾斜を形成するのに役立つ。構造物２，３を接合する際に、構造物２，３は、接触面１６に関して垂直方向および水平方向の組み合わせ運動を行う。接合運動は、重力によって助成され、かつ接触面１６が接触し合う時点で終了する。継手半部４，５は、この状態で、楔効果および重力に基づいて互いに緊締されている。
【００１３】
図２には、第２実施例の管片７ａ，８を断面図で示した。管片７ａと管片８との間に調整エレメント１７が配置されている。調整エレメント１７はキャップ状に曲げられた金属薄板ストリップ１８と、ピン１９として形成された２つのスライド手段とを備えている。ピン１９は、ねじ山２０と、両側でそれぞれ工具係合手段としての六角穴２１とを備えている。ピン１９は、金属薄板ストリップ１８の孔２２に支承されていて、かつ内側の管片７ａのねじ山付孔２３に係合している。管片７ａ，８がまだ係合していない状態で、ピン１９は平行に回動され、これによって金属薄板ストリップ１８は、内側の管片７ａに対して、その長手方向に対して横向きにスライドされることができる。調整エレメント１７は外側の管片８に接合されるので、たとえば所望の形式で図示した中央軸線の変位Ａを調節することができる。
【００１４】
図３には、本発明の結合エレメント１ｂの別の実施例を示した。結合エレメント１ｂは両方の継手半部４ｂ，５ｂから成っている。両継手半部４ｂ，５ｂは、それぞれ１つの管片７ｂ，８ｂを備えており、管片７ｂは導入傾斜部２４を備えた平鋼として形成されている。ここでも管片７ｂ，８ｂはプラスチックから成る楔形の台部９ｂ，１０ｂによって支持される。外側の管片８ｂの、別の継手半部４ｂに向いた側の縁部２５に、Ｕ字形に曲げられた金属薄板部材の構成をした力方向調節部材２６が被せ嵌められている。力方向調節部材２６の作用によって、継手半部の間に作用する力が力方向調節部材の直ぐ傍に伝達されて、これによって特に比較的大きなてこ作用が回避される。
【図面の簡単な説明】
【００１５】
【図１】結合エレメントの第１実施例を組込状態で示す横断面図である。
【００１６】
【図２】結合エレメントの第２実施例の管片を示す横断面図である。
【００１７】
【図３】結合エレメントの第３実施例を示す斜視図である。
【符号の説明】
【００１８】
１，１ｂ  結合エレメント、  ２，３  構造物、  ４，４ｂ，５，５ｂ  継手半部、  ６  ねじ、  ７，７ａ，７ｂ，８，８ｂ  管片、  ９，９ｂ，１０，１０ｂ  台部、  １１  切欠、  １２  ねじ頭、  １３，１４  内面、  １５  導入キャップ、  １６  接触面、  １７  調整部材、  １８  金属薄板ストリップ、  １９  ピン、  ２０  ねじ山、  ２１  六角穴、  ２２  孔、  ２３  ねじ山付孔、  ２４  導入傾斜部、  ２５  縁部、  ２６  力方向調節部材、  Ａ  変位
【図１】
2005534836.tif 000003
【図２】
2005534836.tif 000004
【図３】
2005534836.tif 000005
【国際調査報告】
2005534836.tif 000006
2005534836.tif 000007
2005534836.tif 000008
2005534836.tif 000009
2005534836.tif 000010
2005534836.tif 000011